(57)【要約】【課題】  ハーフリムにレンズを保持するテグスの折り曲げ部に大きな力が作用しないようにして切断しないようにする。【解決手段】  レンズ２０の周縁部の一部を保持するハーフリム１の取付け部２と、レンズ２０と、レンズの周縁部を押圧して取付け部２に押し付けて取付け部２にレンズ２０を固定するテグス６とを具え、前記ハーフリム１の取付け部２の両側にテグス６の端部を保持する保持部材８、１１を設け、この保持部材８、１１をハーフリム１の取付け部２の両側部に設けた窪み部７、１０内に配設した。【選択図】図２
2010210921.tif 000002
【特許請求の範囲】
【請求項１】
レンズの周縁部の一部を保持するハーフリムの取付け部と、レンズと、レンズの周縁部を押圧して取付け部に押し付けて取付け部にレンズを固定するテグスとを具え、前記ハーフリムの取付け部の両側にテグスの端部を保持する保持部材が設けられ、この保持部材をハーフリムの取付け部の両側部に設けた窪み部内に配設したことを特徴とするハーフリムにおけるテグスの固定機構。
【請求項２】
前記ハーフリムは樹脂製である請求項１記載のハーフリムにおけるテグスの固定機構。
【請求項３】
前記ハーフリムは金属製である請求項１記載のハーフリムにおけるテグスの固定機構。
【発明の詳細な説明】
【技術分野】
【０００１】
本発明は、ハーフリムの眼鏡におけるハーフリムのテグスの固定機構に関し、特に長期に渡ってテグスが切断することを防止できるハーフリムにおけるテグスの固定機構に関する。
【背景技術】
【０００２】
従来、ハーフリムの眼鏡においてレンズを固定するにはテグスを用いており、ハーフリムの両レンズの取付け部間をそれぞれテグスで連結し、ハーフリムの取付け部とテグスとの間に位置するレンズをハーフリムの取付け部に押圧することで固定している。この場合、ハーフリムとテグスとの間の連結は取付け部の両端部にそれぞれレンズの周縁部方向に２つの孔を穿設し、この両孔に折り込むようにテグスの両端部を通してテグスがずれないようして固定することで連結していた。
【０００３】
上記のような従来のハーフリムにおけるテグスの固定機構にあっては、固定している間にハーフリムに設けた孔内に位置するテグスの部分がハーフリムとの間で擦れて切断して破損する場合があり、このことはハーフリムが樹脂製よりも金属製の場合が頻度が多くなっていた。
【先行技術文献】
【特許文献】
【０００４】
【特許文献１】特開平１０−１０４７５号公報
【発明の概要】
【発明が解決しようとする課題】
【０００５】
本発明は、上記のような従来の問題に鑑みなされたものであって、長時間に渡ってハーフリムに連結したテグスが破断することなく確実にレンズを固定することができるハーフリムにおけるテグスの固定機構を提供することを目的とする。
【課題を解決するための手段】
【０００６】
上記のような課題を解決するために、本発明は、以下のような手段を採用している。
すなわち、レンズの周縁部の一部を保持するハーフリムの取付け部と、レンズと、レンズの周縁部を押圧してハーフリムの取付け部に押し付けてハーフリムにレンズを固定するテグスとを具え、前記ハーフリムの取付け部の両側にテグスの端部を保持する保持部材が設けられ、この保持部材をハーフリムの取付け部の両側に穿設した窪み部内に配設したことを特徴とするハーフリムにおけるテグスの固定機構である。
【０００７】
本発明のハーフリムにおけるテグスの固定機構によれば、ハーフリムとテグスとの間でレンズを挟持して固定することが可能となり、そして、テグスの端部は保持部材によって保持される。
【０００８】
請求項２に係る発明は、請求項１に記載のハーフリムにおけるテグスの固定機構であって、前記ハーフリムは樹脂製である。
【０００９】
本発明のハーフリムにおけるテグスの固定機構によれば、テグスにハーフリムが直接に接触することがなく、しかもハーフリムと保持部材とは変位可能であるとともに、保持部材が樹脂製なので、テグスが擦れたり、折り曲げたテグスの角部に大きな力が作用することがない。
【００１０】
請求項３に係る発明は、請求項１に記載のハーフリムにおけるテグスの固定機構であって、前記ハーフリムは金属製である。
【００１１】
本発明のハーフリムにおけるテグスの固定機構によれば、テグスにハーフリムが直接に接触することがなく、しかもハーフリムと保持部材とが変位可能であるとともに、テグスと保持部材とは変位不能なので、折り曲げたテグスの角部に大きな力が作用することがない。
【発明の効果】
【００１２】
以上、説明したように、本発明の請求項１に記載のハーフリムにおけるテグスの固定機構によれば、樹脂製あるいは金属製のハーフリムに設けた窪み部内に保持部材が配設され、この保持部材によってテグスの端部が保持されているので、テグスがハーフリムと接触することなく保持部材と接触することになる。このためテグスがハーフリムと擦れたりすることがなく、長期間に渡って破損する恐れがないものである。
【図面の簡単な説明】
【００１３】
【図１】両端にテンプルが連結されたハーフリムとレンズとテグスとを分解した正面図である。
【図２】図１のハーフリムとテンプルとレンズとテグスと保持部材との拡大図である。
【図３】ハーフリムの一端部におけるテグスとの連結状態を示す断面図である。
【図４】ハーフリムの他端部におけるテグスとの連結状態を示す断面図である。
【発明を実施するための形態】
【００１４】
以下、図面を参照しながら本発明の実施の形態について説明する。
図１〜図４には、本発明によるハーフリムにおけるテグスの固定機構の実施の形態が示されている。図１は両端にテンプルが連結されたハーフリムとレンズとテグスとを分解した正面図、図２は図１のハーフリムとテンプルとレンズとテグスとハーフリムに設けた窪み部内に位置する保持部材とを分解した拡大図、図３はハーフリムの一方の取付け部におけるテグスとの連結状態を示す断面図、図４はハーフリムの他方の取付け部におけるテグスとの連結状態を示す断面図である。
【００１５】
図１に示すように、両レンズの上半部を支持する取付け部２、２を有するハーフリム１には中央部に使用者の鼻と接触するノーズパッド３、３が設けられ、また、両端にはヨロイ４、４を介してテンプル５、５がそれぞれ連結されている。
そして、レンズの下半部を押圧してハーフリム１の各取付け部２、２の支持部２ａ、２ａとの間でレンズ２０、２０を挟持するテグス６、６は各レンズ２０、２０の両側の位置で取付け部２、２の支持部２ａ、２ａに取り付けられている。
【００１６】
図２に示すように、レンズ２０はハーフリム１の取付け部２に合致する形状に加工され、ハーフリム１にはレンズ２０の内方に位置するようにノーズパッド３が取り付けられている。また、ハーフリムの両側端部にはヨロイ４を介してテンプル５が取り付けられている。
そして、ハーフリム１の取付け部２の内側には窪み部７が設けられるとともに、この窪み部７内に位置可能な環状の保持部材８が位置し、テグス６はこの保持部材８の孔８ａに挿通可能となっている。
【００１７】
一方、ハーフリム１の外側の支持部２ａにはレンズ２０の周縁方向を向く長孔状の窪み部１０が設けられるとともに、この窪み部１０内に位置可能な横長の保持部材１１が配設されていて、この保持部材１１にはレンズ２０の周縁方向を向く２つの孔１１ａ、１１ａが設けられ、テグス６はこの保持部材１１の孔１１ａ、１１ａに挿通可能となっている。
【００１８】
上記のようになっているハーフリム１の内側の支持部２ａとレンズ２０とテグス６と環状の保持部材８との関係は図３に示すようになっている。
支持部２ａに設けた窪み部７内に位置可能な環状の保持部材８の孔はテグス６が挿通可能であり、この孔に連続する小径の窪みにはテグス６の端部に設けた拡大部６ａが位置して保持部材８の内部に入るようになっている。また、保持部材８が挿入されるハーフリム１の取付け部２の支持部２ａには保持部材８の孔と一致するテグス６の挿通孔２ｃが設けられている。
【００１９】
また、ハーフリム１の取付け部２の支持部２ａとレンズ２０とテグス６と横長の保持部材１１との関係は図４に示すようになっていて、横長の保持部材１１にはレンズ２０の周縁方向を向く２つの孔１１ａ、１１ａが穿設され、この孔にはテグス６が挿通可能となっているとともに、この保持部材１１を挿入できる窪み部１０が支持部２ａに設けられ、この支持部２ａに保持部材１１の孔１１ａ、１１ａと合致するテグス６の挿通孔が２つ穿設されている。
【００２０】
上記のように形成されているハーフリムにおけるテグスの固定機構にあっては、まず、環状の保持部材８の孔８ａにテグス６を挿通した状態でテグス６の端部を拡大部６ａに形成する。この場合、テグス６は樹脂製なので端部に熱を加えることで大径にして拡大部６ａを形成することができ、保持部材８から抜け出ることを防止することができる。
【００２１】
この後、テグス６を内方からハーフリム１の取付け部２の支持部２ａに設けた挿通孔２ｃに挿通し、挿通した端部を保持部材１１の孔１１ａ、１１ａに交互に通す。さらに、テグス６の端部を支持部２ａの内方に位置して、テグス６をレンズ２０の下半部に合致する長さで切断する。そして、最後にテグス６を引っ張ってハーフリム１の取付け部２との間にレンズ２０を嵌め込んでハーフリム１にレンズ２０を取付けて完成する。
【００２２】
なお、前記実施の形態においてはハーフリムの下側にレンズを取付けた場合について説明したが、上側であってもよく、要はテグスを直接ハーフリムの孔に挿通するのではなく、保持部材を設けてこの保持部材をハーフリムに位置し、テグスを保持部材によって保持するようにすれば良いものである。
【符号の説明】
【００２３】
１  ハーフリム
２  取付け部
２ａ  支持部
２ｃ  挿通孔
３  ノーズパッド
４  ヨロイ
５  テンプル
６  テグス
６ａ  拡大部
７、１０  窪み部
８、１１  保持部材
８ａ、１１ａ  孔
２０  レンズ
【図１】
2010210921.tif 000003
【図２】
2010210921.tif 000004
【図３】
2010210921.tif 000005
【図４】
2010210921.tif 000006